(57)【要約】【課題】  幅の異なるシャーシをラックに取り付けることが可能なラック取り付けシステムを提供すること。【解決手段】  ラック取り付けシステムは取り付け機構、第１の連結アセンブリ及び第２の連結アセンブリを含む。取り付け機構はラックの第１の側に取り外し可能に取り付けられるよう構成されるとともに、ラックの第１の側に対して可動である。第１の連結アセンブリはラックの第２の側に取り外し可能に取り付けられるように構成されている。第２の連結アセンブリは取り付け機構に連結されている。第１の連結アセンブリ及び第２の連結アセンブリは、取り付け機構がラックの第１の側に対して第１の位置に動かされた場合に、第１のシャーシ幅を有する第１のシャーシを保持するように構成されている。【選択図】  図２
2018198918.tif 000002
【特許請求の範囲】
【請求項１】
ラックに適用可能なラック取り付けシステムであって、当該ラック取り付けシステムは、
前記ラックの第１の側に取り外し可能に取り付けられるように構成されるともに、前記ラックの第１の側に対して可動な取り付け機構と、
前記ラックの第２の側に取り外し可能に取り付けられるように構成された第１の連結アセンブリと、
前記取り付け機構に連結される第２の連結アセンブリと、
を含み、
前記第１の連結アセンブリ及び前記第２の連結アセンブリは、前記取り付け機構が前記ラックの第１の側に対して第１の位置に動かされた場合に、第１のシャーシ幅を有する第１のシャーシを保持するように構成されている、ラック取り付けシステム。
【請求項２】
前記第１の連結アセンブリは第１の連結幅を有し、前記第２の連結アセンブリは第２の連結幅を有し、前記取り付け機構は、前記取り付け機構が前記ラックの第１の側に対して前記第１の位置に動かされた場合に前記ラックの第１の側から内方に第１の取り付け長さ伸長し、前記第１の取り付け長さは前記第１の連結幅及び前記第２の連結幅よりも大きく、
前記第１の連結アセンブリ及び前記第２の連結アセンブリは、前記取り付け機構が前記ラックの第１の側に対して前記第１の位置から伸長位置に動かされた場合に第２のシャーシ幅を有する第２のシャーシを保持するように構成され、該第２のシャーシ幅は前記第１のシャーシ幅とは異なる、請求項１に記載のラック取り付けシステム。
【請求項３】
前記第１の連結アセンブリは第１の固定レールを含み、前記第２の連結アセンブリは第２の固定レールを含み、
前記第１の固定レール及び前記第２の固定レールは前記第１のシャーシ幅を有する前記第１のシャーシを前記ラック内に固定取り付けするように構成されている、請求項１に記載のラック取り付けシステム。
【請求項４】
前記第１の連結アセンブリは第１の固定レール及び第１の可動レールを含み、前記第２の連結アセンブリは第２の固定レール及び第２の可動レールを含み、
前記第１の可動レール及び前記第２の可動レールは、前記第１のシャーシ幅を有する前記第１のシャーシを前記第１のラックから引き出せるようにする、請求項１に記載のラック取り付けシステム。
【請求項５】
シャーシの第１の側に連結されるように構成された第１の連結アセンブリと、
前記シャーシの第２の側に連結されるように構成された第２の連結アセンブリと、
前記第２の連結アセンブリに連結される取り付け機構と、
を含むラック取り付けシステムであって、
前記取り付け機構が第１のラックの第１の側に取り付けられ、前記第１の連結アセンブリが前記第１のラックの第２の側に取り付けられている場合、前記取り付け機構は、前記シャーシを前記第１のラックに取り付けるために前記第１のラックの第１の側から内方に第１の取り付け長さ伸長するように構成され、
前記取り付け機構が第２のラックの第１の側に取り付けられ、前記第１の連結アセンブリが前記第２のラックの第２の側に取り付けられている場合、前記取り付け機構は前記シャーシを前記第２のラックに取り付けるために前記第２のラックの第１の側から内方に第２の取り付け長さ伸長するように構成されている、ラック取り付けシステム。
【請求項６】
前記第１の連結アセンブリは第１の連結幅を有し、前記第２の連結アセンブリは第２の連結幅を有し、
前記第１の取り付け長さは、前記第１の連結幅及び前記第２の連結幅よりも大きく、前記第２の取り付け長さは前記第１の連結幅及び前記第２の連結幅よりも大きい、請求項５に記載のラック取り付けシステム。
【請求項７】
前記第１の連結アセンブリは第１の固定レールを含み、前記第２の連結アセンブリは第２の固定レールを含み、
前記第１の固定レール及び前記第２の固定レールは前記シャーシを前記第１のラック又は前記第２のラック内に固定取り付けするように構成されている、請求項５に記載のラック取り付けシステム。
【請求項８】
前記第１の連結アセンブリは第１の固定レール及び第１の可動レールを含み、前記第２の連結アセンブリは第２の固定レール及び第２の可動レールを含み、
前記第１の可動レール及び前記第２の可動レールは、前記第１のラック又は前記第２のラックから前記シャーシを引き出すことができるようにする、請求項５に記載のラック取り付けシステム。
【請求項９】
第１の側及び第２の側を有するラックと、
前記ラックの第１の側に取り外し可能に取り付けられる取り付け機構と、
前記ラックの第２の側に取り外し可能に取り付けられる第１の連結アセンブリと、
前記取り付け機構に連結される第２の連結アセンブリと、
を含むラックシステムであって、
前記第１の連結アセンブリ及び前記第２の連結アセンブリは、前記取り付け機構が前記ラックの第１の側に対して第１の位置に位置している場合に、第１のシャーシ幅を有する第１のシャーシを前記ラックに取り付けるように構成され、
前記第１の連結アセンブリ及び前記第２の連結アセンブリは、前記取り付け機構が前記ラックの第１の側に対して伸長位置に位置している場合に、第２のシャーシ幅を有する第２のシャーシを前記ラックに取り付けるように構成され、
前記伸長位置は前記第１の位置とは異なり、前記第２のシャーシ幅は前記第１のシャーシ幅とは異なる、ラックシステム。
【請求項１０】
前記第１の連結アセンブリは第１の連結幅を有し、前記第２の連結アセンブリは第２の連結幅を有し、
前記取り付け機構は、前記取り付け機構が前記ラックの第１の側に対して前記第１の位置に位置している場合に前記ラックの第１の側から内方に第１の取り付け長さ伸長し、前記第１の取り付け長さは前記第１の連結幅及び前記第２の連結幅よりも大きい、請求項９に記載のラックシステム。
【発明の詳細な説明】
【技術分野】
【０００１】
本発明はラック取り付けシステムに関し、より具体的には、幅が異なるシャーシをラックに取り付けることができるラック取り付けシステムに関する。
【背景技術】
【０００２】
一般に、ラックはラック幅を定義する第１の側及び第２の側を有する。ラック取り付けシステムは、シャーシをラックに取り付けるために、ラックの２つの側にそれぞれ取り付けられるレール部材等の少なくとも一対の連結アセンブリを含む。
【０００３】
現在のラック取り付けシステムは、同じ仕様に準拠するラック及びシャーシにしか適用できない。ラック及びシャーシの仕様又はサイズが合致しないと、シャーシをラックに取り付けることができない。
【０００４】
情報技術の急速な発展に伴って、より多くの電子機器又は関連部品を収容するためにシャーシの寸法（例えば幅寸法等）が大きくなってきている。特許文献１には幅がより大きいシャーシのための仕様が開示されている。しかしながら、ラック及びシャーシの仕様又はサイズが合致しない場合、特許文献１に開示された解決手段は、ラックの内部領域に複数のポストを設置してラックの本来のラック幅を小さくするものである。しかしながら、そのようなデザインによれば、幅が小さくされたラックには１つの所定の仕様に準拠したシャーシしか取り付けることができない。
【先行技術文献】
【特許文献】
【０００５】
【特許文献１】米国特許第９１３１７６９号明細書
【特許文献２】米国特許第８３７９４１０号明細書
【特許文献３】米国特許第６１８１５４９号明細書
【発明の概要】
【発明が解決しようとする課題】
【０００６】
本発明は、幅の異なるシャーシをラックに取り付けることができるラック取り付けシステムを提供する。
【課題を解決するための手段】
【０００７】
本発明の一実施形態によれば、ラック取り付けシステムはラックに適用可能である。当該ラック取り付けシステムは、取り付け機構（mounting  mechanism）と、第１の連結アセンブリ（connecting  assembly）と、第２の連結アセンブリとを含む。取り付け機構はラックの第１の側に取り外し可能に取り付けられるように構成されるともに、ラックの第１の側に対して可動である。第１の連結アセンブリはラックの第２の側に取り外し可能に取り付けられるように構成されている。第２の連結アセンブリは取り付け機構に連結される。第１の連結アセンブリ及び第２の連結アセンブリは、取り付け機構がラックの第１の側に対して第１の位置に動かされた場合に、第１のシャーシ幅を有する第１のシャーシを保持するように構成されている。
【０００８】
本発明の別の実施形態によれば、ラック取り付けシステムは第１の連結アセンブリと、第２の連結アセンブリと、取り付け機構とを含む。第１の連結アセンブリはシャーシの第１の側に連結されるように構成されている。第２の連結アセンブリはシャーシの第２の側に連結されるように構成されている。取り付け機構は第２の連結アセンブリに連結される。取り付け機構が第１のラックの第１の側に取り付けられ、第１の連結アセンブリが第１のラックの第２の側に取り付けられている場合、取り付け機構は、シャーシを第１のラックに取り付けるために第１のラックの第１の側から内方に第１の取り付け長さ伸長するように構成される。第１のラックは第１のラック幅を有する。取り付け機構が第２のラックの第１の側に取り付けられ、第１の連結アセンブリが第２のラックの第２の側に取り付けられている場合、取り付け機構はシャーシを第２のラックに取り付けるために第２のラックの第１の側から内方に第２の取り付け長さ伸長するように構成されている。
【０００９】
本発明の別の実施形態によれば、ラックシステムはラックと、取り付け機構と、第１の連結アセンブリと、第２の連結アセンブリとを含む。ラックは第１の側及び第２の側を有する。取り付け機構はラックの第１の側に取り外し可能に取り付けられる。第１の連結アセンブリはラックの第２の側に取り外し可能に取り付けられる。第２の連結アセンブリは取り付け機構に連結される。第１の連結アセンブリ及び第２の連結アセンブリは、取り付け機構がラックの第１の側に対して第１の位置に位置している場合に、第１のシャーシ幅を有する第１のシャーシをラックに取り付けるように構成されている。第１の連結アセンブリ及び第２の連結アセンブリは、取り付け機構がラックの第１の側に対して伸長位置に位置している場合に、第２のシャーシ幅を有する第２のシャーシをラックに取り付けるように構成されている。伸長位置は第１の位置とは異なる。第２のシャーシ幅は第１のシャーシ幅とは異なる。
【００１０】
様々な図面に図示する下記の好ましい実施形態の詳細な説明を読み終えた後、本発明の上記の目的及び他の目的が当業者に間違いなく明らかになる。
【図面の簡単な説明】
【００１１】
【図１】図１は、本発明の一実施形態に係る、第１のラックの一方側に取り付けられた第１のシャーシの一部を示す図である。
【図２】図２は、本発明の一実施形態に係る、第１のラックに取り付けられた第１のシャーシを示す図である。
【図３】図３は、本発明の一実施形態に係る、第１のラックの一方側に取り付けられた第２のシャーシの一部を示す図である。
【図４】図４は、本発明の一実施形態に係る、第１のラックに取り付けられた第２のシャーシを示す図である。
【図５】図５は、本発明の一実施形態に係る、ラックから引き出された第１のシャーシを示す図である。
【図６】図６は、本発明の一実施形態に係る、第２のラックに取り付けられた第１のシャーシを示す図である。
【発明を実施するための形態】
【００１２】
図１及び図２に示すように、ラック取り付けシステムは第１のラック１０に適用可能である。第１のラック１０は第１のポスト１２ａ、第２のポスト１２ｂ、第３のポスト１２ｃ及び第４のポスト１２ｄ等の複数のポストを有する。第１のポスト１２ａ及び第２のポスト１２ｂは第１のラック１０の第１の側Ｓ１として定義され、第３のポスト１２ｃ及び第４のポスト１２ｄは第１のラック１０の第２の側Ｓ２として定義され、第１のラック１０の第１の側Ｓ１と第２の側Ｓ２との間には第１のラック幅Ｒ１が定義されている。
【００１３】
ラック取り付けシステムは取り付け機構１４、第１の連結アセンブリ１６及び第２の連結アセンブリ１８を含む。取り付け機構１４は第１のラック１０の第１の側Ｓ１及び第２の側Ｓ２のうちの一方に取り外し可能に取り付けられている。本実施形態では、取り付け機構１４は、第１のラック１０の第１のポスト１２ａ及び第２のポスト１２ｂにそれぞれ取り外し可能に取り付けられた２つの別個の部品を含む。即ち、取り付け機構１４は第１のラック１０の第１の側Ｓ１に取り外し可能に取り付けられている。別の実施形態では、取り付け機構１４は第１のラック１０の第１のポスト１２ａ及び第２のポスト１２ｂに取り外し可能に取り付けられた１つの部品を含み得るが、本発明はそのような構成に限定されない。第１の連結アセンブリ１６は第１のラック１０の第１の側Ｓ１及び第２の側Ｓ２のうちの他方に取りずし可能に取り付けられている。本実施形態では、第１の連結アセンブリ１６は第１のラック１０の第２の側Ｓ２に取り外し可能に取り付けられている。加えて、第２の連結アセンブリ１８は取り付け機構１４に連結されている。第１の連結アセンブリ１６と第２の連結アセンブリ１８との間に第１のシャーシ幅Ｃ１が定義されている。第１のシャーシ幅Ｃ１を有する第１のシャーシ２０を第１の連結アセンブリ１６及び第２の連結アセンブリ１８に取り付けることができる。例えば、第１の連結アセンブリ１６は第１のシャーシ２０の第１の側に連結でき、第２の連結アセンブリ１８は第１のシャーシ２０の第２の側に連結できる。
【００１４】
取り付け機構１４は、第１のラック１０の第１の側Ｓ１に対して第１の取り付け長さＭ１内方に伸長していることが好ましい。第１の連結アセンブリ１６は第１の連結幅Ｗ１を有する。第２の連結アセンブリ１８は第２の連結幅Ｗ２を有する。第１の取り付け長さＭ１は第１の連結幅Ｗ１及び第２の連結幅Ｗ２よりも大きい。
【００１５】
図２〜図４を参照されたい。取り付け機構１４（説明の便宜上、図２及び図４において取り付け機構１４の構造及び調節機構を簡略化してある）は、第２のシャーシ幅Ｃ２を有する第２のシャーシ２２を第１の連結アセンブリ１６及び第２の連結アセンブリ１８に取り付けるため、取り付け機構１４が、第１の連結アセンブリ１６及び第２の連結アセンブリ１８の間に第２のシャーシ幅Ｃ２を形成するために第１のラック１０の第１の側Ｓ１から内方に伸長距離Ｅ１伸長するように、第１の位置Ｐ１から伸長位置Ｘ１に移動するよう調節できることが好ましい。いることが好ましい。。別の実施形態では、取り付け機構１４は、異なるシャーシ幅のシャーシを第１のラック１０に取り付けることができるようにさらに調節できる。
【００１６】
したがって、取り付け機構１４は、第１のシャーシ幅Ｃ１を有する第１のシャーシ２０及び第２のシャーシ幅Ｃ２を有する第２のシャーシ２２を、第１のラック幅Ｒ１を有する第１のラック１０に取り付けることができる。
【００１７】
第１の連結アセンブリ１６は第１の固定レール２４を含み、第２の連結アセンブリ１８は第２の固定レール２５を含むことが好ましい。第１の固定レール２４及び第２の固定レール２５は、第１のシャーシ２０を第１のラック１０内に固定取り付けするように構成されている。第１の固定レール２４及び第２の固定レール２５の仕様は同じでもよいし異なっていてもよく、本発明はそのような構成に限定されない。
【００１８】
図５に示すように、第１の連結アセンブリ１６は第１の固定レール２４及び第１の可動レール２６を含み、第２の連結アセンブリ１８は第２の固定レール２５及び第２の可動レール２７を含む。第１の可動レール２６及び第２の可動レール２７は、第１のシャーシ２０を第１のラック１０から引き出すことができるようにする。第１の連結アセンブリ１６及び第２の連結アセンブリ１８のレールの仕様は同じであってよいし異なっていてもよく、本発明はそのような構成に限定されない。
【００１９】
図６を参照されたい。ラック取り付けシステムは第２のラック３０にも適用することができる。第２のラック３０は第１のラック１０の第１のラック幅Ｒ１とは異なる第２のラック幅Ｒ２を有する。取り付け機構１４は、第１のシャーシ幅Ｃ１を有する第１のシャーシ２０を第１の連結アセンブリ１６及び第２の連結アセンブリ１８に取り付けるため、取り付け機構１４が、第１の連結アセンブリ１６及び第２の連結アセンブリ１８の間に第１のシャーシ幅Ｃ１を形成するために第２のラック３０の第１の側Ｓ１から内方に第２の取り付け距離Ｍ２伸長するように、第２のラック３０の第１の側Ｓ１に対して第２の位置Ｐ２に移動するよう調節できる。第２の取り付け長さＭ２は第１の連結幅Ｗ１及び第２の連結幅Ｗ２よりも大きい。
【００２０】
したがって、第１のシャーシ幅Ｃ１を有する第１のシャーシ２０を図２に示すように第１のラック幅Ｒ１を有する第１のラック１０に取り付けることができる。さらに、第１のシャーシ幅Ｃ１を有する第１のシャーシ２０も図６に示すように第２のラック幅Ｒ２を有する第２のラック３０に取り付けることができる。
【００２１】
上述した説明によれば、本発明は、取り付け機構１４が第１のラック１０に対して内方に第１の取り付け長さＭ１に伸長した場合、第１のシャーシ幅Ｃ１を有する第１のシャーシ２０を第１のラック幅Ｒ１を有する第１のラック１０に取り付けることができ、取り付け機構１４が第２のラック３０に対して内方に第２の取り付け長さＭ２伸長するよう調節されている場合、第１のシャーシ幅Ｃ１の第１のシャーシ２０を第２のラック幅Ｒ２の第２のラック３０に取り付けることができる。
【００２２】
別の実施形態は、本発明は、連結アセンブリの取り付け機構１４が第１のラック１０に対して内方に第１の取り付け長さＭ１伸長している場合、第１のシャーシ幅Ｃ１を有する第１のシャーシ２０を第１のラック幅Ｒ１の第１のラック１０に取り付けることができ、取り付け機構１４が第１のラック１０に対して内方に伸長長さＥ１伸長するよう調節されている場合、第２のシャーシ幅Ｃ２を有する第２のシャーシ２２を第１のラック幅Ｒ１を有する第１のラック１０に取り付けることができる。
【００２３】
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【符号の説明】
【００２４】
１０  第１のラック
１２ａ、１２ｂ、１２ｃ、１２ｄ  ポスト
１４  取り付け機構
１６  第１の連結アセンブリ
１８  第２の連結アセンブリ
２０  第１のシャーシ
２２  第２のシャーシ
２４  第１の固定レール
２５  第２の固定レール
２６  第１の可動レール
２７  第２の可動レール
【図１】
2018198918.tif 000003
【図２】
2018198918.tif 000004
【図３】
2018198918.tif 000005
【図４】
2018198918.tif 000006
【図５】
2018198918.tif 000007
【図６】
2018198918.tif 000008